(57)【要約】【課題】大型化を抑えつつ、高さ調整が可能なプラットホーム用鋼製パネルを提供する。【解決手段】プラットホーム用鋼製パネルは、板状のパネル本体と、パネル本体を土台上で支持する複数の支持脚とを備える。支持脚は、パネル本体の裏面側に取り付けられた基部と、基部に対して下方に向けて突出し、基部からの突出量を調整可能な突出部と、突出部の下部に固定されて土台に設置される設置部とを有する。【選択図】図１
2011006844.tif 000002
【特許請求の範囲】
【請求項１】
板状のパネル本体と、
前記パネル本体を土台上で支持する複数の支持脚とを備え、
前記支持脚は、
前記パネル本体の裏面側に取り付けられた基部と、
前記基部に対して下方に向けて突出し、前記基部からの突出量を調整可能な突出部と、
前記突出部の下部に固定されて前記土台に設置される設置部とを有することを特徴とするプラットホーム用鋼製パネル。
【請求項２】
請求項１記載のプラットホーム用鋼製パネルにおいて、
前記基部には、上下方向に貫通したネジ孔が形成されていて、
前記突出部は、ネジ頭が上方を向くように前記ネジ孔に螺合する雄ネジであり、
前記パネル本体における複数の前記支持脚に対応する位置には、前記ネジ頭を露出する開口が形成されていることを特徴とするプラットホーム用鋼製パネル。
【請求項３】
請求項２記載のプラットホーム用鋼製パネルにおいて、
前記開口を塞ぐ蓋部材を有することを特徴とするプラットホーム用鋼製パネル。
【請求項４】
請求項１〜３のいずれか一項に記載のプラットホーム用鋼製パネルにおいて、
前記パネル本体は、当該パネル本体と前記土台とを固定するための固定部を有することを特徴とするプラットホーム用鋼製パネル。
【請求項５】
請求項１〜４のいずれか一項に記載のプラットホーム用鋼製パネルにおいて、
前記パネル本体の側部には、隣接するパネル本体の側部に係合する係合部を備え、
前記係合部は、当該パネル本体の側部と、前記隣接するパネル本体の側部との隙間に応じて係合自在であることを特徴とするプラットホーム用鋼製パネル。
【請求項６】
請求項５記載のプラットホーム用鋼製パネルにおいて、
前記係合部は、
前記パネル本体の側部から側方に延出する凸部と、前記隣接するパネル本体の前記凸部が挿入される凹部とが設けられていて、
前記隣接するパネル本体の前記凹部に対する前記凸部の進入長さを調整することにより、前記隙間に応じて係合自在となっていることを特徴とするプラットホーム用鋼製パネル。
【請求項７】
請求項５記載のプラットホーム用鋼製パネルにおいて、
前記係合部は、
前記パネル本体の側部から側方に延出する棒状部材と、前記棒状部材に摺動自在に取り付けられて、前記隣接するパネル本体の側部に係合する板状部材とを有し、
前記棒状部材における前記板状部材の係合位置を調整することにより、前記隙間に応じて係合自在となっていることを特徴とするプラットホーム用鋼製パネル。
【発明の詳細な説明】
【技術分野】
【０００１】
本発明は、プラットホーム用鋼製パネルに関する。
【背景技術】
【０００２】
従来、プラットホームを通過させて機材や重機の搬出入にかかる時間を短縮するために、営業の終了後にプラットホーム上の鋼製パネルを油圧ジャッキによって昇降させて、機材や重機の搬送経路を確保するものが知られている（例えば特許文献１参照）。
【先行技術文献】
【特許文献】
【０００３】
【特許文献１】特開２００５−１６２６５号公報
【発明の概要】
【発明が解決しようとする課題】
【０００４】
しかしながら、プラットホーム自体を改修する際、プラットホーム上に鋼製パネルを仮設置する場合があるが、こうした場合、鋼製パネルと、当該鋼製パネルに隣接する舗装面とに段差があると、躓くことで乗客に不快感を与える要因になってしまう。このため、鋼製パネルの高さ調整が望まれるが、上記した油圧ジャッキによる鋼製パネルの昇降では装置自体が大型となり、現実的でないのが実状である。
このため、本発明の課題は、大型化を抑えつつ、高さ調整が可能なプラットホーム用鋼製パネルを提供することである。
【課題を解決するための手段】
【０００５】
請求項１記載の発明に係るプラットホーム用鋼製パネルは、
板状のパネル本体と、
前記パネル本体を土台上で支持する複数の支持脚とを備え、
前記支持脚は、
前記パネル本体の裏面側に取り付けられた基部と、
前記基部に対して下方に向けて突出し、前記基部からの突出量を調整可能な突出部と、
前記突出部の下部に固定されて前記土台に設置される設置部とを有することを特徴としている。
【０００６】
請求項２記載の発明は、請求項１記載のプラットホーム用鋼製パネルにおいて、
前記基部には、上下方向に貫通したネジ孔が形成されていて、
前記突出部は、ネジ頭が上方を向くように前記ネジ孔に螺合する雄ネジであり、
前記パネル本体における複数の前記支持脚に対応する位置には、前記ネジ頭を露出する開口が形成されていることを特徴としている。
【０００７】
請求項３記載の発明は、請求項２記載のプラットホーム用鋼製パネルにおいて、
前記開口を塞ぐ蓋部材を有することを特徴としている。
【０００８】
請求項４記載の発明は、請求項１〜３のいずれか一項に記載のプラットホーム用鋼製パネルにおいて、
前記パネル本体は、当該パネル本体と前記土台とを固定するための固定部を有することを特徴としている。
【０００９】
請求項５記載の発明は、請求項１〜４のいずれか一項に記載のプラットホーム用鋼製パネルにおいて、
前記パネル本体の側部には、隣接するパネル本体の側部に係合する係合部を備え、
前記係合部は、当該パネル本体の側部と、前記隣接するパネル本体の側部との隙間に応じて係合自在であることを特徴としている。
【００１０】
請求項６記載の発明は、請求項５記載のプラットホーム用鋼製パネルにおいて、
前記係合部は、
前記パネル本体の側部から側方に延出する凸部と、前記隣接するパネル本体の前記凸部が挿入される凹部とが設けられていて、
前記隣接するパネル本体の前記凹部に対する前記凸部の進入長さを調整することにより、前記隙間に応じて係合自在となっていることを特徴としている。
【００１１】
請求項７記載の発明は、請求項５記載のプラットホーム用鋼製パネルにおいて、
前記係合部は、
前記パネル本体の側部から側方に延出する棒状部材と、前記棒状部材に摺動自在に取り付けられて、前記隣接するパネル本体の側部に係合する板状部材とを有し、
前記棒状部材における前記板状部材の係合位置を調整することにより、前記隙間に応じて係合自在となっていることを特徴としている。
【発明の効果】
【００１２】
本発明によれば、パネル本体を支持する支持脚に、パネル本体の裏面側に取り付けられた基部と、基部に対して下方に向けて突出し、基部からの突出量を調整可能な突出部とが設けられているので、突出部の突出量を調整することでパネル本体の高さを調整することができる。また、支持脚は、油圧ジャッキよりも小型であるために、プラットホーム用鋼製パネル自体の大型化を抑えることも可能である。
【図面の簡単な説明】
【００１３】
【図１】本実施形態のプラットホーム用鋼製パネルの概略構成を示す上面図である。
【図２】図１のプラットホーム用鋼製パネルの側面図である。
【図３】図１のプラットホーム用鋼製パネルに備わる固定部の概略構成を示す、図１におけるIII−III切断面から見た断面図である。
【図４】図１のプラットホーム用鋼製パネルに備わる支持脚の概略構成を示す部分断面図である。
【図５】警告シール又は鋼板突起仕様、すべり止め塗装を施したプラットホーム用鋼製パネルを示す上面図である。
【図６】本実施形態のプラットホーム用鋼製パネルの変形例を示す側面図である。
【図７】本実施形態のプラットホーム用鋼製パネルを湾曲したプラットホームに敷設した状態を示す上面図である。
【図８】図４のプラットホーム用鋼製パネルの変形例を示す部分断面図である。
【図９】図７の円弧Ｃ１内の隙間に図８の係合部を配置した場合を示す模式図である。
【図１０】図７の円弧Ｃ２内の隙間に図８の係合部を配置した場合を示す模式図である。
【発明を実施するための形態】
【００１４】
以下、図を参照して本発明を実施するための最良の形態を詳細に説明する。図１は、本実施形態のプラットホーム用鋼製パネルの概略構成を示す上面図であり、図２はプラットホーム用鋼製パネルの側面図である。なお、図1及び図２においては、二枚のプラットホーム用鋼製パネル１が連続して敷設されている４状態を示している。
【００１５】
図１及び図２に示すようにプラットホーム用鋼製パネル１は、板状のパネル本体１０と、パネル本体１０を土台D上で支持する複数の支持脚２０とを備えている。
【００１６】
パネル本体１０は、上面視長方形状に形成されている。パネル本体１０の長辺方向における両端部には、土台Dに埋設されたアンカー４０に係合することで、パネル本体１０を土台D上に固定する固定部３０が設けられている。図３は固定部３０の概略構成を示す断面図である。この図３に示すように、固定部３０には、パネル本体１０に形成された開口部３１と、パネル本体１０に接合されて開口部３１の下方を覆う凹板３２と、凹板３２の貫通孔３３を介してアンカー４０に係止される係止ネジ３４と、開口部３１の上方を覆う蓋部材３５と、蓋部材３５を支持する蓋用支持部３６とが設けられている。
【００１７】
蓋用支持部３６には、固定ネジ３７によりパネル本体１０に係止された支持板３８と、支持板３８に蓋部材３５を係止するための蓋用ネジ３９とが設けられている。この蓋用ネジ３９を支持板３８から離脱させることで、蓋部材３５がパネル本体１０から取り外し可能な状態となる。そして、蓋部材３５を取り外せば、係止ネジ３４のネジ頭が露出するので、係止ネジ３４をアンカー４０に着脱することが可能となる。
【００１８】
パネル本体１０の裏面側には、図１に示すように、長辺方向に沿う平行な一対の縦リブ１１と、短辺方向に沿う横リブ１２とが、それぞれ下方に向けて突出するように取り付けられている。これら縦リブ１１及び横リブ１２によってパネル本体１０の剛性が高められている。
また、パネル本体１０の両側部には、側方に延出する凸部１３と、内側に向けて凹んだ凹部１４とが形成されている。凸部１３には上下方向に沿う貫通孔１３１が形成されている。凹部１４は、プラットホーム用鋼製パネル１Ａに隣接するプラットホーム用鋼製パネル１Ｂにおけるパネル本体１０の凸部１３に対応する位置に設けられていて、この凸部１３が凹部１４内に挿入されるようになっている。また、パネル本体１０における凹部１４に対向する位置には上下方向に沿う貫通孔１４１が形成されている。この貫通孔１４１は、凹部１４内に進入した凸部１３の貫通孔１３１と連通するようになっている。貫通孔１３１，１４１を介してネジ止めをすることで、互いに隣接するプラットホーム用鋼製パネル１Ａ，１Ｂを固定できるようになっている。つまり、この凸部１３及び凹部１４が隣接するパネル本体の側部に係合する、本発明に係る係合部である。
【００１９】
支持脚２０は、パネル本体１０の両側端部に所定の間隔を空けて３つずつ設けられている。図４は、支持脚２０の概略構成を示す部分断面図である。図４に示すように支持脚２０には、パネル本体１０の裏面側に取り付けられた基部２１と、基部２１に取り付けられた突出部２２と、突出部２２の下部に固定されて土台Ｄに設置される板状の設置部２３とが設けられている。
【００２０】
基部２１は、円柱状の部材であり、上下方向に貫通したネジ孔２１１が形成されている。突出部２２は、ネジ頭２２１が上方を向くようにネジ孔２１１に螺合する雄ネジである。突出部２２の下端部は、基部２１の下端部から突出している。また、パネル本体１０における複数の支持脚２０に対応する位置には、ネジ頭２２１を露出する開口２４が形成されている。開口２４から露出したネジ頭２２１を回転させることで、突出部２２の突出量を調整でき、結果的にパネル本体１０の高さ位置も調整することが可能である。高さ調整を行わない場合は、開口２４に蓋部材２５が装着されている。
【００２１】
次に、本実施形態の作用について説明する。
まず、プラットホームを改修する際に、プラットホーム表面のクリーンタイルが撤去されると、撤去後のプラットホーム（土台Ｄ）上にプラットホーム用鋼製パネル１を設置する。このとき、撤去領域周辺の舗装面と、プラットホーム用鋼製パネル１の表面とに段差がなくなるように、ネジ頭２２１を回転させて突出部２２の突出量を調整し、プラットホーム用鋼製パネル１の高さ調整を行う。撤去領域に敷設する全てのプラットホーム用鋼製パネル１の高さ調整が完了すると、プラットホーム用鋼製パネル１を土台Ｄ上に敷設する。このとき、隣接するプラットホーム用鋼製パネル１Ａ，１Ｂ同士の凸部１３と凹部１４とを係合させて、ネジ止めをする。そして、固定部３０をアンカー４０に係合させて、プラットホーム用鋼製パネル１Ａ，１Ｂを土台Ｄ上に固定する。なお、プラットホーム用鋼製パネル１Ａ，１Ｂの表面には、図５に示すように、その用途に応じて警告シール７０を貼付したり、すべり止め塗装８０や絶縁塗装を施す。なお、図５においてはすべり止め舗装８０が線状に形成された場合を例示しているが、対象領域全面に対してすべり止め舗装８０を施すようにしてもよい。また、警告シール７０を貼付しなくとも、パネル本体１０自体に凹凸を付けて警告表示部とすることも可能である。
【００２２】
以上のように、本実施形態のプラットホーム用鋼製パネル１によれば、パネル本体１０を支持する支持脚２０に、パネル本体１０の裏面側に取り付けられた基部２１と、基部２１に対して下方に向けて突出し、基部２１からの突出量を調整可能な突出部２２とが設けられているので、突出部２２の突出量を調整することでパネル本体１０の高さを調整することができる。また、支持脚２０は、油圧ジャッキよりも小型であるために、プラットホーム用鋼製パネル１自体の大型化を抑えることも可能である。
【００２３】
また、パネル本体１０における複数の支持脚２０に対応する位置に、ネジ頭２２１を露出する開口２４が形成されているので、プラットホーム用鋼製パネル１の表面側から高さ調整を行うことができる。したがって、プラットホーム用鋼製パネル１の設置直後や、設置後ある程度期間が経過した後であっても、設置した状態のまま高さ調整を行うことが可能となる。
また、開口２４を塞ぐ蓋部材２５が設けられているので、高さ調整後に開口２４はふさがれることになり、開口２４に躓いてしまうことを防止することができる。
パネル本体１０と土台Ｄとを固定するための固定部３０が設けられているので、プラットホーム用鋼製パネル１を土台Ｄに安定して配置することが可能となる。
そして、パネル本体１０の側部には、側方に延出する凸部１３と、隣接するパネル本体１０の凸部１３が挿入される凹部１４とが設けられているので、土台Ｄ上に敷設された複数のプラットホーム用鋼製パネル１を一体的に係合でき、より安定して配置することが可能となる。
【００２４】
なお、本発明は上記実施形態に限らず適宜変更可能であるのは勿論である。
例えば、本実施形態では、プラットホーム用鋼製パネル１の高さ調整を支持脚２０でのみ行う場合を例示して説明したが、支持脚２０のみの高さ調整では限界がある。そのため、支持脚２０の調整範囲を超えて高さ調整をする場合には、例えば図６に示すように、土台Dと支持脚２０との間に、プラットホーム用鋼製パネル１とは別体の支持台９０を介在することも可能である。この支持台９０自体が高さ調整可能であれば支持脚２０との組合せでより広範囲な高さ調整が可能となる。
【００２５】
また、上記実施形態では、隣接するプラットホーム用鋼製パネル１Ａ，１Ｂ同士の凸部１３と凹部１４とを係合させて、ネジ止めをする場合を例示して説明したが、ネジ止めは必ずしも必要なものではない。例えば図７に示すようにプラットホームＰの形状が湾曲している場合には、隣接するプラットホーム用鋼製パネル１Ａ，１Ｂにどうしても隙間Ｓが生じてしまう。この場合、ネジ止めをしていなければ、隣接するパネル本体１０の凹部１４に対する凸部１３の進入長さを調整することができる。これにより、隙間Ｓに応じて係合自在とすることができる。なお、隙間Ｓをそのまま放置していると、躓き等を誘発させてしまい、乗客に不快感を与えてしまうので、この隙間Ｓを閉塞する閉塞部材を隙間Ｓ内に配置し、隣接するプラットホーム用鋼製パネル１Ａ，１Ｂ同士の表面と閉塞部材との表面とを略面一にすることが好ましい。閉塞部材としては、ジャバラ鋼板９０や、硬質ゴム等が挙げられる。
【００２６】
また、上記の例では、凸部１３と凹部１４からなる係合部を例示して説明したが、係合部は図８に示す構成であってもよい。図８に示す係合部は、パネル本体１０の側部から側方に延出する棒状部材５１と、棒状部材５１に摺動自在に取り付けられて、隣接するパネル本体１０の側部に係合する板状部材５２とを有する。棒状部材５１は、Ｌ字状に屈曲されていて、基端がパネル本体１０の側部に固定されているとともに、先端が側方に延出している。一方、板状部材５２には、棒状部材５１が挿通する貫通孔５３が形成されている。なお、パネル本体１０の側部には、下方に向けて立設するリブ１９が形成されている。そして、板状部材５２を摺動させて、隣接するパネル本体１０のリブ１９同士を棒状部材５１の基部とともに挟持することで、両パネル本体１０を固定している。なお、この係合部においても、板状部材５３を摺動させて、棒状部材５１に対する係合位置を調整することにより、隣接するパネル本体１０同士を固定することが可能である。例えば、図７に示すように隣接するプラットホーム用鋼製パネル１Ａ，１Ｂを固定する場合においては、大きい隙間Ｓ１側では、当該隙間Ｓ１に対応するように、板状部材５２を摺動させて、棒状部材５１の基部との間隔も大きくして、隣接するパネル本体１０同士を挟持する（図９参照）。一方、小さい隙間Ｓ２側では、当該隙間Ｓ２に対応するように、板状部材５２を摺動させて、棒状部材５１の基部との間隔も隙間Ｓ１の場合よりも小さくして、隣接するパネル本体１０同士を挟持する（図１０参照）。なお、隙間が均等な場合は、いずれの係合部における板状部材の係合位置を同一にしておけばよい。
【符号の説明】
【００２７】
１      プラットホーム用鋼製パネル
１０      パネル本体
１１      縦リブ
１２      横リブ
１３      凸部（係合部）
１４      凹部（係合部）
２０      支持脚
２１      基部
２２      突出部
２３      設置部
２４      開口
２５      蓋部材
３０      固定部
３１      開口部
３２      凹板
３３      貫通孔
３４      係止ネジ
３５      蓋部材
３６      蓋用支持部
３７      固定ネジ
３８      支持板
３９      蓋用ネジ
４０      アンカー
５１      棒状部材（係合部）
５２      板状部材（係合部）
７０      警告シール
８０      すべり止め塗装
２１１      ネジ孔
２２１      ネジ頭
Ｄ      土台
Ｓ，Ｓ１，Ｓ２      隙間
【図１】
2011006844.tif 000003
【図２】
2011006844.tif 000004
【図３】
2011006844.tif 000005
【図４】
2011006844.tif 000006
【図５】
2011006844.tif 000007
【図６】
2011006844.tif 000008
【図７】
2011006844.tif 000009
【図８】
2011006844.tif 000010
【図９】
2011006844.tif 000011
【図１０】
2011006844.tif 000012